(57)【要約】【課題】水流の中でペット足部の運動を抵抗少なく軽やかに行えるようにして、足部のリハビリ効果を向上させるペット用リハビリ装置を提供する。【解決手段】水槽１内部で小動物ペットＰの足部のリハビリを行うペット用リハビリ装置であって、水槽１内底部で前後上下方向に位置調整が可能な位置調整機構Ｑを備えたスタンド部材２と、該スタンド部材２上で複数のローラ１３がフリー回転可能に並列してなる足接触面部３とを備え、ペットＰを所望の位置に吊り下げて足部を水槽１内部に浸漬し、前記足接触面部３に接触可能となるように構成する。足接触面部３は、各ローラ１３を水槽１内部に起こした水流に対して直角に且つ水流に相対向するよう傾斜状に並列配置する。スタンド部材２は、水槽１内底部で前後方向にスライド調整可能としたベース部７と、該ベース部７上面に立設し上下方向に伸縮調整可能としたポール部１２とからなる。【選択図】図１
2009045009.tif 000002
【特許請求の範囲】
【請求項１】
前後上下方向への位置調整機構を備えたスタンド部材と、該スタンド部材上で複数のローラがフリー回転可能に並列してなる足接触面部とを備え、ペットの足部を前記足接触面部に接触させるものとしたことを特徴とするペット用リハビリ装置。
【請求項２】
水槽内部で小動物ペットの足部のリハビリを行うペット用リハビリ装置であって、水槽内底部で前後上下方向に位置調整が可能な位置調整機構を備えたスタンド部材と、該スタンド部材上で複数のローラがフリー回転可能に並列してなる足接触面部と、ペットを水槽内で吊り下げる吊り下げ機構とを備え、該吊り下げ機構でペットを所望の位置に吊り下げて足部を水槽内部に浸漬させ前記足接触面部に接触させるものとしたことを特徴とするペット用リハビリ装置。
【請求項３】
前記足接触面部は、各ローラを水槽内部に起こさせた水流に対して直角に且つ水流に相対向するよう傾斜状に並列配置されてなる請求項２記載のペット用リハビリ装置。
【請求項４】
スタンド部材は、水槽内底部で前後方向にスライド調整可能としたベース部と、該ベース部上面に立設され上下方向に伸縮調整可能としたポール部とからなる請求項１乃至３のいずれか記載のペット用リハビリ装置。
【発明の詳細な説明】
【技術分野】
【０００１】
本発明は、水槽内部の水流の中で小動物ペットの足部のリハビリを行うためのペット用リハビリ装置に関する。
【背景技術】
【０００２】
近年においては、人間だけでなく犬や猫等のペットの運動不足も問題となっているため、数多くのペット用リハビリ装置が開発されている。従来、この種のペット用リハビリ装置としては、例えば特許文献１に開示されているように、犬や猫等の陸上動物のペット用の水中歩行装置なる技術が存在する。
【０００３】
すなわち、この装置は、ペットの大きさに応じて水位が調整される水槽と、水槽内の底部に配設された歩行ベルト機構と、ペットの前方からジェット水流を噴射するジェット噴出機構とを有し、歩行ベルト機構は、水槽内に平行に配設される２本の水平軸と、この２本の水平軸に巻回される無端環状ベルトと、水平軸を無端環状ベルトが渡された方向に対してスライド可能に左右両端部で支持する支持部と、支持部を介して水平軸の左右両端部をペットの前方へ引っ張る引張り部材としての発条と、水平軸を回転駆動するための駆動モータとから構成されている。
【０００４】
そして、このジェット噴出機構は、ポンプにより吸引した水をペットの前方のジェットノズルから噴射することにより、ペットの歩行に負荷を掛け、しかも水深を変化させてトレーニングすることが可能となっている。
【特許文献１】特開２００７−１５１８９４号公報
【発明の開示】
【発明が解決しようとする課題】
【０００５】
しかしながら、従来においては、ペットが水流に逆らって無端環状ベルト上で歩行を行うに際し、ペットには何等の支えも無いフリーな状態で歩行させているため、水流の抵抗でよろめき転倒し、かえって怪我をさせてしまうという問題を有している。
【０００６】
そこで、本発明は、叙上のような従来存した諸事情に鑑み案出されたもので、水槽内部の水流の中で小動物ペットの足部のリハビリを行うに際し、水流の中でのペットの足部の運動を抵抗少なく軽やかに行わせることができ、これによってペットは運動を嫌うことなく続行させることができ、足部のリハビリ効果を向上させることを可能としたペット用リハビリ装置を提供することを目的とする。
【課題を解決するための手段】
【０００７】
上述した課題を解決するため、本発明にあっては、前後上下方向への位置調整機構を備えたスタンド部材と、該スタンド部材上で複数のローラがフリー回転可能に並列してなる足接触面部とを備え、ペットの足部を前記足接触面部に接触させるものとしたことを特徴とする。
【０００８】
水槽内部で小動物ペットの足部のリハビリを行うペット用リハビリ装置であって、水槽内底部で前後上下方向に位置調整が可能な位置調整機構を備えたスタンド部材と、該スタンド部材上で複数のローラがフリー回転可能に並列してなる足接触面部と、ペットを水槽内で吊り下げる吊り下げ機構とを備え、該吊り下げ機構でペットを所望の位置に吊り下げて足部を水槽内部に浸漬させ前記足接触面部に接触させるものとしたことを特徴とする。
【０００９】
前記足接触面部は、各ローラを水槽内部に起こさせた水流に対して直角に且つ水流に相対向するよう傾斜状に並列配置されてなる。
【００１０】
スタンド部材は、水槽内底部で前後方向にスライド調整可能としたベース部と、該ベース部上面に立設され上下方向に伸縮調整可能としたポール部とからなる。
【００１１】
以上のように構成された本発明に係るペット用リハビリ装置にあって、スタンド部材の位置調整機構は、ペットのサイズに応じて足接触面部を水槽内の最適位置まで移動させる。これと同時に吊り下げ機構でペットを所望の位置に吊り下げて足部を水槽内部に浸漬させ、ペットの足部が足接触面部の各ローラ表面に接触するように配置させる。このとき、水槽内部に傾斜した足接触面部に向けて水流を起こさせると、ペットは足部を足接触面部の各ローラ表面を蹴るようにして動かす。この際、各ローラはフリー回転するため、これに接触するペットの足部は水中で抵抗少なく且つ軽やかに動かされる。
【発明の効果】
【００１２】
本発明によれば、水槽内部の水流の中で小動物ペットの足部のリハビリを行うに際し、水流の中でのペットの足部の運動を抵抗少なく軽やかに行わせることができ、これによってペットは運動を嫌うことなく続行させることができ、足部のリハビリ効果を向上させることができる。
【発明を実施するための最良の形態】
【００１３】
以下、図面を参照して本発明を実施するための最良の一形態を説明する。
本発明に係るペット用リハビリ装置は、ペットＰの大きさに応じて水位が調整される水槽１と、水槽１内の底部に配設された前後上下方向への位置調整機構Ｑを備えたスタンド部材２と、該スタンド部材２の上端で複数のローラ１３がフリー回転可能に並列してなる足接触面部３と、ペットＰを水槽１内部に浸漬させる状態に吊り下げられるようにする吊り下げ機構Ｒと、吊り下げられたペットＰの前方からジェット水流を噴射するジェット噴出機構４と、から概ね構成されている。
【００１４】
スタンド部材２の位置調整機構Ｑは、図２に示すように、水槽１内底部に固着された左右一対のガイド片５ａ、５ｂに長手方向に沿ってガイド長孔６が形成され、略コ字枠状のベース部７が両ガイド片５ａ、５ｂの間に挟持装着されて前後方向にスライド可能としてある。このベース部７の両側面には、ガイド片５ａ、５ｂのガイド長孔６に対応して一対のネジ孔８ａ、８ｂが設けられており、ガイド長孔６の外側からワッシャ９を介して蝶ネジ１０をネジ孔８ａ、８ｂにねじ込むことでガイド片５ａ、５ｂの前後に沿った所望の位置にベース部７が固定されるようにしてある。また、ベース部７の上面中央には、中間に設けたネジ筒部１１を廻すことで上下方向に伸縮調整可能としてなるポール部１２が立設されている。尚、この位置調整機構Ｑは、本発明の一例に過ぎず、他の構成（例えば、自動位置調整機構）を採用しても良いことは勿論である。
【００１５】
そして、ポール部１２の上端には、複数のローラ１３がフリー回転可能に並列してなる足接触面部３を備えている。すなわち、ポール部１２の上端には、水流に対して直角に且つ水流に相対向するように組み付けられた支持枠材１４を介して傾斜状に並列配置されてなる複数のローラ軸１５にローラ１３がフリー回転可能に枢着されており、ペットＰを所望の位置に吊り下げて足部を水槽１内部に浸漬させた際に、この足接触面部３に足部が接触させられるようにしてある。
【００１６】
吊り下げ機構Ｒは、図１に示したように、水槽１の左右上縁に略逆Ｕ字形の掛架部１６を架設し、ペットＰの腹部を浮きマットＭ両側から延びた帯体で抱えるようにして当該浮きマットＭをペットＰの背中に装着させ、該浮きマットＭのペットＰ首当部分に付設されている吊りリングに紐材Ｌを通し、前記掛架部１６の中央に紐材Ｌの端部を縛結することでペットＰが吊り下げられ、水槽１内部に当該ペットＰが浸漬させられるようにしてある。
【００１７】
ジェット噴出機構４は、図１および図３に示したように、吊り下げられたペットＰの前方に水槽１に隣接した状態の補助水槽１７となって配置されており、該補助水槽１７内には底部に置かれた給水ポンプ１８と、給水ポンプ１８に接続したホース１９と、ホース１９からコック２０を介して水槽１内側に向けて連通されたジェットノズル２１とを備えている。そして、補助水槽１７内の水を給水ポンプ１８で吸引してホース１９・コック２０を介してジェットノズル２１へ送り、水槽１内に水を所定の圧力で噴出することで、ペットＰに前方側から負荷を掛けるようにしてある。
【００１８】
ジェットノズル２１は、図３に示すように、横長矩形状の噴出口を先端に有し後端部に向けて末広がりとなった偏平筒状の鋼管材によって形成され、水槽１の壁面に取り付けられた矩形枠状の取付基部２２の両端に突出した支持突片部２２ａにジェットノズル２１の両端が回動可能に枢着されていることで噴出口の俯仰方向の角度を適宜調整できるようにしてある。
【００１９】
また、図１に示すように、補助水槽１７の位置から離れた水槽１内底部の端部側には、矩形状に凹んだ排水部２３が設けられ、該排水部２３の底部中央に設けられた排水口２４には排水ホース２５がコック２６を介して接続されている。そして、排水部２３の側壁には左右一対となって供給口２７が設けられ、該各供給口２７から供給ホース２８を介して前記補助水槽１７内底部に接続されている。この排水部２３内には、図４に示すように、夾雑物捕集用の網目構造の籠体２９が収容され、さらにパンチング孔の開いた水抜板３０を排水部２３の上側に被せて固定される。ペット用リハビリ装置の使用に際しては、この供給ホース２８から水槽１内の水が補助水槽１７内に供給され、前記給水ポンプ１８の下面にある吸引口から水を吸引してホース１９・コック２０を介してジェットノズル２１へ送られるようにしてある。
【００２０】
次に、以上のように構成された本発明の最良の形態についての使用、動作の一例について説明する。
先ず、スタンド部材２の位置調整機構Ｑにより、ペットＰのサイズに応じて足接触面部３を水槽１内の最適位置まで移動させておく。そして、水槽１内に必要な水位となるまで水を入れ、ペットＰを吊り下げ機構Ｒによって所望の位置に吊り下げて足部を水槽１内部に浸漬させ、ペットＰの足部が足接触面部３の各ローラ１３表面に接触するように配置する。また、ジェットノズル２１の噴出口の俯仰方向の角度を適宜調整しておく。
【００２１】
この後、水槽１内部にジェット噴出機構４によって、傾斜した足接触面部３に向けて水流を起こさせる。この際、水流の循環は、供給ホース２８から水槽１内の水が補助水槽１７内底部に供給され、給水ポンプ１８下面にある吸引口から水を吸引してホース１９・コック２０を介して上方のジェットノズル２１へ送られることで行われる。
【００２２】
この水流によってペットＰに前方側から負荷が掛けられ、ペットＰは足部を足接触面部３の各ローラ１３表面を蹴るようにして動かす。このとき、各ローラ１３はフリー回転するため、これに接触するペットＰの足部は水中で抵抗少なく且つ軽やかに動かされる。
【図面の簡単な説明】
【００２３】
【図１】本発明を実施するための最良の形態におけるペット用リハビリ装置の概略構成を示す断面図である。
【図２】同じくスタンド部材の位置調整機構の一例を示す斜視図である。
【図３】同じくジェットノズルの構成の一例を示す斜視図である。
【図４】同じく排水部の構成の一例を示す斜視図である。
【符号の説明】
【００２４】
Ｐ          ペット
Ｑ          位置調整機構
Ｒ          吊り下げ機構
Ｌ          紐材
Ｍ          浮きマット
１          水槽
２          スタンド部材
３          足接触面部
４          ジェット噴出機構
５ａ、５ｂ  ガイド片
６          ガイド長孔
７          ベース部
８ａ、８ｂ  ネジ孔
９          ワッシャ
１０        蝶ネジ
１１        ネジ筒部
１２        ポール部
１３        ローラ
１４        支持枠材
１５        ローラ軸
１６        掛架部
１７        補助水槽
１８        給水ポンプ
１９        ホース
２０        コック
２１        ジェットノズル
２２        取付基部
２３        排水部
２４        排水口
２５        排水ホース
２６        コック
２７        供給口
２８        供給ホース
２９        籠体
３０        水抜板
【図１】
2009045009.tif 000003
【図２】
2009045009.tif 000004
【図３】
2009045009.tif 000005
【図４】
2009045009.tif 000006